(57)【要約】ステント（１０）は、複数の蛇行バンド（２０）および複数の連結支柱（１６）を画定する複数の支柱部材（２２）を備えてもよい。隣接する蛇行バンドは少なくとも一つの連結支柱によって連結されてもよい。前記ステントは外向きに展開可能な副枝構造（４２）を更に備えてもよい。ステント表面の一定単位領域の構造支柱部材の総表面積は、副枝構造から離れて間隔をあけて配置された領域（Ａ２、Ａ３）よりも副枝構造近くの領域（Ａ１、Ａ５）で一層大きい。
2009528885.tif 000002
【特許請求の範囲】
【請求項１】
相互連結支柱部材の一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
少なくとも一つの連結支柱によって接続された隣接する複数の蛇行バンドおよび複数の連結支柱をさらに画定する前記相互連結支柱部材と、
少なくとも二つの相互連結支柱部材を含む前記中央部分に位置する第一の単位領域と、
前記第一の単位領域と同様の大きさおよび形状を有する前記中央部分の外側に位置する第二の単位領域と
を備えるステントであって、
前記第一の単位領域内の前記相互連結支柱部材の外側総面積が前記第二の単位領域内の前記相互連結支柱部材の外側総面積よりも広いステント。
【請求項２】
請求項１に記載のステントであって、前記第一の単位領域が少なくとも一つの連結支柱および二つの蛇行バンドの少なくとも一部分を含むステント。
【請求項３】
請求項１に記載のステントであって、前記第一の末端部分、前記中央部分、および前記第二の末端部分が同じ長さを有するステント。
【請求項４】
請求項１に記載のステントであって、前記第一の単位領域が前記副枝構造の少なくとも一つの支柱を含むステント。
【請求項５】
前記第一の単位領域と同一の大きさおよび形状を有する第三の単位領域をさらに含む請求項１に記載のステントであって、前記第一の単位領域内の前記相互連結支柱部材の外側総面積が第三の単位領域内の前記相互連結支柱部材の外側総面積よりも広いステント。
【請求項６】
請求項５に記載のステントであって、前記第二の単位領域内の前記相互連結支柱部材の外側総面積が第三の単位領域内の前記相互連結支柱部材の外側総面積よりも広いステント。
【請求項７】
請求項５に記載のステントであって、前記第二の単位領域が前記ステントの長さに沿って前記第一の単位領域および前記第三の単位領域の間に位置するステント。
【請求項８】
請求項５に記載のステントであって、前記第二の単位領域および前記第三の単位領域が前記ステントの長さに沿って前記副枝構造の反対側に位置するステント。
【請求項９】
請求項１に記載のステントであって、前記中央部分に位置する第一の蛇行バンドが複数の連結支柱を備える第一の連結柱によって第二の蛇行バンドに連結され、前記中央部分の外側に位置する第三の蛇行バンドが少なくとも一つの連結支柱を備える第二の連結柱によって第四の蛇行バンドに連結され、第一の連結柱が前記第二の連結柱より連結支柱を多く含むステント。
【請求項１０】
請求項１に記載のステントであって、前記中央部分に位置する第一の蛇行バンドが第一の幅を有する第一の支柱を備え、前記中央部分の外側に位置する第二の蛇行バンドが第二の幅を有する第二の支柱を備え、前記第一の幅が前記第二の幅より広いステント。
【請求項１１】
第一の蛇行バンドおよび第二の蛇行バンドをさらに備える請求項１に記載のステントであって、前記第一の蛇行バンドの隣接した遠位凹みが第一の距離で隔てられ、前記第二の蛇行バンドの隣接した遠位凹みが前記第一の距離より広い第二の距離で隔てられているステ
ント。
【請求項１２】
第一の蛇行バンドおよび第二の蛇行バンドをさらに備える請求項１に記載のステントであって、前記第一の蛇行バンドが前記ステントの中央部分に位置して第一の構成要素の長さを有し、前記第二の蛇行バンドが前記第一の蛇行バンドに対して遠位に位置し、前記第二の蛇行バンドが前記第一の構成要素の長さより長い第二の構成要素の長さを備えるステント。
【請求項１３】
請求項１に記載のステントであって、前記中央部分に位置する第一の蛇行バンドが複数の連結支柱を備える第一の連結柱によって第二の蛇行バンドに連結され、前記中央部分の外側に位置する第三の蛇行バンドが少なくとも一つの連結支柱を備える第二の連結柱によって第四の蛇行バンドに連結され、前記第一の連結柱が前記第二の連結柱よりも連結支柱を多く有するステント。
【請求項１４】
少なくとも一つの連結支柱を備える第三の連結柱によって前記第二の蛇行バンドに連結される第五の蛇行バンドをさらに備える請求項１３に記載のステントであって、前記第一の連結柱が前記第三の連結柱より連結支柱を多く有するステント。
【請求項１５】
前記第二の連結柱と同数の連結支柱を有する第三の連結柱をさらに備える請求項１３に記載のステントであって、前記第二の連結柱および前記第三の連結柱が前記ステントの長さに沿って前記副枝構造の反対側に位置するステント。
【請求項１６】
前記第一の連結柱と同数の連結支柱を有する第四の連結柱をさらに備える請求項１５のステントであって、前記第一の連結支柱及び前記第四の連結支柱が前記ステントの長さに沿って前記副枝構造の反対側に位置するステント。
【請求項１７】
請求項１３に記載のステントであって、前記第一の連結柱が第一の方向に向けられた直線連結支柱を含み、前記第三の連結柱が前記第一の方向と異なる第二の方向に向けられた直線連結支柱を含むステント。
【請求項１８】
請求項１３に記載のステントであって、前記第二の蛇行バンドが直線支柱と湾曲支柱を交互に備えるステント。
【請求項１９】
請求項１３に記載のステントであって、前記第一の連結柱が前記ステントの長さに沿って前記副枝構造に対して遠位に位置し、前記第一の連結柱に対して遠位に位置する各連結柱が前記第一の連結柱より少ない連結支柱を含むステント。
【請求項２０】
相互連結支柱部材の一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
少なくとも一つの連結支柱によって接続された隣接する複数の蛇行バンドおよび複数の連結支柱をさらに画定する前記相互連結支柱部材と、
少なくとも二つの相互連結支柱部材を含む前記中央部分に位置する第一の単位領域と、
前記第一の単位領域と同様の大きさおよび形状を有する前記中央部分の外側に位置する第二の単位領域と
を備えるステントであって、
前記第一の単位領域が前記第二の単位領域より金属を多く含むステント。
【発明の詳細な説明】
【技術分野】
【０００１】
本発明の一部の実施形態は埋め込み型医療器具  、その製造、および使用方法に関する。一部の実施形態は、前記機器に利用されるあらゆる種類のカテーテルシステムなどの送達システムを対象とする。
【背景技術】
【０００２】
ステントは身体の内腔に導入される医療器具であり、当技術分野でよく知られている。通常、ステントは狭窄または動脈瘤の場所の血管腔内に埋め込まれ、半径方向に縮小した形状のステント、つまりシースおよび／またはカテーテルで半径方向に圧縮した形状に随意に抑えたステントを、ステント送達システムまたは「挿入器」によって挿入する「低侵襲技術」と呼ばれる技術によって必要とされる部位に送達される。挿入器は患者の皮膚を通じて、または簡単な外科的方法で血管を露出させる「静脈切開」手法によって、体外のアクセス位置から身体に侵入させることができる。
【０００３】
以下、ステントと総称されるステント、グラフト、ステントグラフト、大静脈フィルター、拡張型構造、および同様の埋め込み型医療器具  は半径方向に拡張可能な内部プロテーゼであり、一般的に経腔的に埋め込み可能で経皮的導入された後に内径方向に拡張可能な血管内インプラントである。ステントは脈管系内、尿道内、胆管内、卵管内、冠状血管内、支脈内などといった身体の様々な内腔、または血管に埋め込むことができる。ステントは身体の血管の補強および脈管系における血管形成後の再狭窄防止に用いることもできる。ステントは、バルーン上に取りつけられた場合、または自己拡張型とバルーン拡張型の組み合わせ（ハイブリッド拡張型）といった半径方向内力によって展開する自己拡張型であってもよい。
【０００４】
ステントは、管状の材料から、または切断もしくはエッチングされてその後丸められる平板、もしくは織り合わされた一つまたは複数のワイヤーまたはひもから、構造を切断またはエッチングする方法などによって作成されてもよい。
【発明の開示】
【発明が解決しようとする課題】
【０００５】
血管系内において、狭窄が血管分岐部に形成されることは珍しくない。分岐は血管系または一次血管（親血管）が二つまたはそれ以上の血管枝に分枝した身体のその他の部分である。狭窄病変またはこのような分岐で形成される病変では、病変は二つの血管の一つの血管（すなわち、血管枝もしくは親血管のいずれか）のみに影響するか、または三つ全ての血管に影響する可能性がある。しかしながら、多くの従来技術ステントは、ステント使用が所望される部位が動脈もしくは静脈の分岐と並列する場合、または、例えばほ乳類の大動脈の総腸骨動脈への分岐のように動脈もしくは静脈の分岐と交差して伸びる場合での使用に関して全く満足いくものではなかった。
【０００６】
一次血管および側枝血管両方に対する支持の増大をもたらす、分岐で展開されるように設計されたステントの必要性が残されている。
参照および／または上述された技術は、本明細書に参照されたいかなる特許、発行物、またはその他の情報が本発明に対して「先行技術」であると承認することを意図したものではない。更に、本節は調査が行われたことを意味する、または米国特許法第１．５６条（ａ）に画定されるようなその他の関連情報が存在しないことを意味すると解釈されるべきではない。
【０００７】
本出願書中の随所で述べられた全ての米国特許および特許出願ならびにその他の全ての公文書は、その全内容を参照することによって本明細書に組み込まれる。
本発明の範囲を制限することなく、本発明の請求された実施形態の一部の簡単な概要が下記に説明される。本発明の要約された実施形態のさらなる詳細は、下記の本発明の詳細な説明の中に見いだされるかもしれない。
【０００８】
本明細書中の技術的開示の簡単な要約も同様に、米国特許法第１．７２条に従う目的でのみで提供される。要約は特許請求の範囲を解釈するために使用されることを意図していない。
【課題を解決するための手段】
【０００９】
少なくとも一つの実施形態では、本発明は複数のセルを画定する複数の相互連結支柱部材を備えるステントを対象とする。相互連結支柱部材の一部は、ステントの他のセルとは別の形状に成形される副枝セルを画定する副枝構造を備える。前記ステントは第一の末端部分、中央部分、および第二の末端部分を備える。副枝構造はステント中央部分に位置する。相互連結支柱部材は、複数の蛇行バンドおよび複数の連結支柱を更に画定する。隣接した蛇行バンドは少なくとも一つの連結支柱で連結される。ステント中央部分に位置する第一の単位領域は、少なくとも二つの相互連結支柱部材を含む。ステント中央部分の外側に位置する第二の単位領域は、第一の単位領域に類似した大きさと形状を有する。第一の単位領域は、第二の単位領域よりも一層多くの金属を含む。一部の実施形態において、第一の単位領域の相互連結支柱部材の外側総面積は、第二の単位領域の相互連結支柱部材の外側総面積より広い。
【００１０】
少なくとも一つの別の実施形態では、本発明は複数のセルを画定する複数の相互連結支柱部材を備えるステントを対象とする。相互連結支柱部材の一部は、ステントの他のセルとは違って形作られる副枝セルを画定する副枝構造を備える。前記ステントは、第一の末端部分、中央部分、および第二の末端部分を備える。副枝構造はステント中央部分に位置する。相互連結支柱部材は、複数の蛇行バンドおよび複数の連結支柱を更に画定する。隣接した蛇行バンドは少なくとも一つの連結支柱で連結される。ステント中央部分に位置する第一の蛇行バンドは、複数の連結支柱を備える第一の連結柱によって第二の蛇行バンドに連結される。ステント中央部分の外側に位置する第三の蛇行バンドは、少なくとも一つの連結支柱を備える第二の連結柱によって第四の蛇行バンドに連結される。第一の連結柱は、第二の連結柱よりも一層多くの連結支柱を有する。
【００１１】
少なくとも一つの別の実施形態では、本発明は複数のセルを画定する複数の相互連結支柱部材を備えるステントを対象とする。相互連結支柱部材の一部は、ステントの他のセルとは違って形作られる副枝セルを画定する副枝構造を備える。前記ステントは、第一の末端部分、中央部分、および第二の末端部分を備える。副枝構造はステント中央部分に位置する。相互連結支柱部材は、複数の蛇行バンドおよび複数の連結支柱を更に画定する。隣接した蛇行バンドは少なくとも一つの連結支柱で連結される。ステント中央部分に位置する第一の蛇行バンドは第一の幅を有する第一の支柱を備える。ステント中央部分の外側に位置する第二の蛇行バンドは第二の幅を有する第二の支柱を備え、第一の幅は第二の幅よりも幅広い。
【００１２】
少なくとも一つの別の実施形態では、本発明は複数のセルを画定する複数の相互連結支柱部材を備えるステントを対象とする。相互連結支柱部材の一部は、ステントの他のセルとは違って形作られる副枝セルを画定する副枝構造を備える。前記ステントは、第一の末端部分、中央部分、および第二の末端部分を備える。副枝構造はステント中央部分に位置する。相互連結支柱部材は、複数の蛇行バンドおよび複数の連結支柱を更に画定する。隣接した蛇行バンドは少なくとも一つの連結支柱で連結される。ステントは第一の蛇行バン
ドおよび第二の蛇行バンドを更に備えてもよい。第一の蛇行バンドの隣接した先端凹みは、第一の距離によって隔てられている。第二の蛇行バンドの隣接した遠位凹みは、第一の距離よりも幅広い第二の距離によって隔てられている。
【００１３】
少なくとも一つの別の実施形態では、本発明は複数のセルを画定する複数の相互連結支柱部材を備えるステントを対象とする。相互連結支柱部材の一部は、ステントの他のセルとは違って形作られる副枝セルを画定する副枝構造を備える。前記ステントは、第一の末端部分、中央部分、および第二の末端部分を備える。副枝構造はステント中央部分に位置する。相互連結支柱部材は、複数の蛇行バンドおよび複数の連結支柱を更に画定する。隣接した蛇行バンドは少なくとも一つの連結支柱で連結される。ステントは第一の蛇行バンドおよび第二の蛇行バンドを更に備えてもよい。第一の蛇行バンドはステント中央部分に位置し、第一の部品長を備える。第二の蛇行バンドは、第一の蛇行バンドの遠位に位置する。第二の蛇行バンドは、第一の部品長よりも一層長い第二の部品長を備える。
【００１４】
少なくとも一つの別の実施形態では、本発明は複数のセルを画定する複数の相互連結支柱部材を備えるステントを対象とする。相互連結支柱部材の一部は、ステントの他のセルとは違って形作られる副枝セルを画定する副枝構造を備える。前記ステントは、第一の末端部分、中央部分、および第二の末端部分を備える。副枝構造はステント中央部分に位置する。相互連結支柱部材は、複数の蛇行バンドおよび複数の連結支柱を更に画定する。隣接した蛇行バンドは少なくとも一つの連結支柱で連結される。ステントは第一の蛇行バンドおよび第二の蛇行バンドを更に備えてもよい。第一の蛇行バンドはステント中央部分に位置し、第一の部品長を備える。第二の蛇行バンドは第一の蛇行バンドの遠位に位置する。第二の蛇行バンドは第一の部品長よりも一層長い第二の部品長を備える。第二の蛇行バンドは、第一の蛇行バンドよりも一層少ない数の遠位凹みを更に含む。
【００１５】
別の一部の実施形態では、本発明は本明細書で述べられた実施形態に従う支柱パターンを有するステント製造方法を対象とする。
【発明を実施するための最良の形態】
【００１６】
本発明の特徴を示すこれらおよびその他の実施形態は、本明細書に添付され本明細書の一部を成す特許請求の範囲に特に指し示されている。また一方、本発明、本発明の利用によって得られる利点と対象の一層の理解のために、本明細書の更なる部分を成す図面および本発明の実施形態が図説し述べられている添付の記述的内容を参照していただきたい。
【００１７】
本発明の詳細な説明は、具体的な図面を参照して以下に述べられる。
本発明は数多くの異なる形で具現化される可能性があるものの、本発明の具体的な実施形態を本明細書で詳細に述べる。本説明は本発明の原理の例証であり、本発明を説明された詳細な実施形態に限定することを意図するものではない。
【００１８】
本開示の目的のために、図中の同じ参照番号は別に示されない限りは同じ特徴を参照するものとする。
一部の実施形態では、本発明は副枝構造を有するステントを対象とし、ステント表面の一定単位領域の構造支柱の総面積は、副枝構造から離れて間隔をあけて配置された領域よりも副枝構造近くの領域で一層大きい。これらのデザインは、典型的には罹患した分岐血管の一部への薬剤送達、血管支持、足場および半径方向の強度の増大を可能にする場合もある。副枝構造周囲の構造支柱の集中増大は、ステント主枝構造により良好な支持アンカーももたらし、ステントが展開する際に側枝血管に主枝構造が押し込まれないよう防止するために役立つ。副枝構造周囲の構造支柱の集中増大は、比較的柔軟な主枝構造および一般的に一層固い副枝構造の間のより良好な移行ももたらす。
【００１９】
一部の実施形態では、本発明は外向きに展開可能な複数の副枝花弁を含む場合がある副枝構造を含むステントデザインを対象とする。ステントは複数の構造支柱を更に含んでもよく、また支柱間に位置するステント開口部がセルを含んでもよい。ステントに沿った随所で、間隙の単位領域はステント表面に画定されてもよい。単位領域は、支柱とセル全体を覆って方向付けられてもよい。従って、単位領域の一部分は、支柱表面領域を含む場合もあり、単位領域の一部分はセル表面領域を含む場合もある。
【００２０】
複数の単位領域はステント上に画定されてもよく、各単位領域は同一の大きさおよび形状を成す。副枝構造近くに位置する単位領域の支柱表面積は、副枝構造から離れて間隔を開けて配置された単位領域内の支柱表面積よりも一層大きくてもよい。一部の実施形態では、いずれかのステント末端に向かってステントの長さに沿って副枝構造から外向きに単位領域が動かされるに従って、単位領域当たりの支柱表面積は減少してもよい。
【００２１】
図１−６は、ステント１０の平面パターンの様々な実施形態を示す。各ステント１０パ
ターンは、近位端１２および遠位端１４を備えてもよく、複数の蛇行バンド２０を備えてもよい。各蛇行バンド２０は複数の支柱２２を備えてもよく、各支柱２２は第一の近位末端２１および第二または遠位端２３を有する。蛇行バンド２０内に周囲に隣接した支柱２２は、屈曲部２８によって連結されてもよい。蛇行バンド２０の近位側に位置する屈曲部２８は、近位頂点２４を備えてもよく、蛇行バンド２０の遠位側に位置する屈曲部２８は、遠位凹み２６を備えてもよい。
【００２２】
蛇行バンド２０の支柱２２は、直線支柱３０および／または湾曲支柱３２を備えてもよい。直線または線状支柱３０は、その長さに沿って実質的に直線であってもよい。湾曲支柱３２は、その長さに沿って湾曲を含んでもよい。一部の実施形態では、湾曲支柱３２はＳ字型を備えてもよく、また湾曲が方向を変える変曲点３３を含んでもよい。
【００２３】
一部の実施形態では、蛇行バンド２０は交互に並ぶ直線支柱３０および湾曲またはＳ字型支柱３２を備えてもよい。各直線支柱３０は、二つの湾曲支柱３２の間に位置づけられてもよい。すなわち、直線支柱３０の第一の末端２１は、直線支柱３０の一方に位置する湾曲支柱３２に連結される場合もある近位頂点２４に連結されてもよい。直線支柱３０の第二の末端２３は、直線支柱３０のもう一方に位置する別の湾曲支柱３２に連結される場合もある遠位凹み２６に連結されてもよい。同様に、各湾曲支柱３２は、二つの直線支柱３０の間に位置づけられてもよい。すなわち、湾曲支柱３２の第一の末端２１は、湾曲支柱３２の一方に位置する直線支柱３０に連結される場合もある近位頂点２４に連結されてもよい。湾曲支柱３２の第二の末端２３は、湾曲支柱３２のもう一方に位置する別の直線支柱３０に連結される場合もある遠位凹み２６に連結されてもよい。
【００２４】
各支柱２２は同じ幅であってもよい。一部の実施形態では、全ての支柱２２が同じ幅であってもよい。一部の実施形態では、湾曲支柱３２は直線支柱３０と異なる幅であってもよい。その他の様々な実施形態では、個別の支柱２２はそれぞれ任意の適切な幅寸法であってもよい。
【００２５】
ステント１０の長さに沿って互いに隣接した蛇行バンド２０は、少なくとも一つの連結支柱１６によって連結されてもよい。連結柱１９は、隣接する蛇行バンド２０の間に位置づけられてもよい。各連結柱１９は、少なくとも一つの、また一部の実施形態では複数の連結支柱１６を備えてもよい。連結支柱１６は、屈曲部２８のような蛇行バンド２０の任意の一部分、または一部の実施形態では支柱２２を連結してもよい。一部の実施形態では、連結支柱１６は、隣接した蛇行バンド２０の屈曲部２８の間をつないでもよい。例えば、連結支柱１６の第一の末端１７は一つの蛇行バンド２０の遠位凹み２６に連結してもよく、また連結支柱１６の第二の末端１８は隣接した蛇行バンド２０の近位頂点２４に連結
してもよい。
【００２６】
一部の実施形態では、連結支柱１６はその長さに沿って線状または直線であってもよい。一部の実施形態では、連結支柱１６はその長さに沿って湾曲を有してもよい。
一部の実施形態では、ステント１０は第一のタイプの連結支柱３６および第二のタイプの連結支柱３８を備えてもよい。第一の連結支柱３６は第一の方向に延びてもよい。第一の連結支柱３６はステント縦軸１１に対して第一の角度で位置づけられてもよい。第二の連結支柱３８は第一の方向と異なる、または平行でない第二の方向に延びてもよい。従って、第二の連結支柱３８はステント縦軸１１に対して第二の角度で位置づけられてもよく、第二の角度は第一の角度と異なる。一部の実施形態では、第一の角度および第二の角度は、異なる方向だが同一の大きさであってもよい。例えば、第一の連結支柱３６はステント縦軸１１と７０°の角度を成してもよく、一方、第二の連結支柱３８はステント縦軸１１と負の７０°の角度を成してもよい。一部の実施形態では、第一の角度はステント縦軸１１を隔てて第二の角度の鏡像を含んでもよい。
【００２７】
一部の実施形態では、ステント１０の全ての第一の連結支柱３６は互いに平行であってもよい。一部の実施形態では、第一の連結支柱３６は直線支柱３０を湾曲支柱３２に連結する屈曲部２８の間に延びてもよい。一部の実施形態では、第一の連結支柱３６の各端は、屈曲部２８の湾曲支柱３２に連結する端の方向に屈曲部２８から延びてもよい。
【００２８】
一部の実施形態では、ステント１０の全ての第二の連結支柱３８は互いに平行であってもよい。一部の実施形態では、第二の連結支柱３８は直線支柱３０を湾曲支柱３２に連結する屈曲部２８の間に延びてもよい。一部の実施形態では、第二の連結支柱３８の各端は、屈曲部２８の直線支柱３０に連結する端の方向に屈曲部２８から延びてもよい。
【００２９】
各蛇行バンド２０は連結されていない屈曲部２９を含んでもよく、前記屈曲部２９からは連結支柱１６は延びていない。
ステント１０は適切な任意の数の蛇行バンド２０を有してもよい。ステント１０は蛇行バンド２０ごとに適切な任意の数の支柱２２を有してもよい。ステント１０は、隣接した蛇行バンド２０の間に延びる適切な任意の数の連結支柱１６をさらに有してもよい。
【００３０】
ステント１０は複数のセル４０を備えてもよい。セル４０は、蛇行バンド２０と連結支柱１６の間のステント１０の壁部分に開口部を備えてもよい。一部の実施形態では、セル４０は蛇行バンド２０、連結支柱１６、別の蛇行バンド２０、および別の連結支柱１６によって境界されてもよい。
【００３１】
ステント１０は、外向きに展開可能な複数の花弁４４を有する副枝構造４２をさらに備えてもよい。副枝構造４２は複数の副枝支柱４３を備えてもよく、一部の実施形態では、副枝構造４２の他の要素の周囲に延びる、連続的な周辺副枝支柱４６を含んでもよい。副枝構造４２は、副枝構造４２の外側に位置するステント１０のセル４０と大きさおよび／または形状が異なる場合がある、少なくとも一つの副枝セル４５を画定してもよい。
【００３２】
一部の実施形態では、副枝構造４２を取り囲む領域は、ステント１０の末端１２、１４のような副枝構造４２から間隔の空いた位置での密度よりも構造的支柱部材２２の密度が高いことが望まれる。
【００３３】
一部の実施形態では、ステント１０は第一の末端部分５０、中央部分５２、および第二の末端部分５４を備えてもよい。各部分５０、５２、５４は、ステント縦軸１１に沿って測った場合に、同じ長さであってもよい。一部の実施形態では、副枝構造４２の一部分、または副枝構造４２の全ては、中央部分５２に位置してもよい。
【００３４】
単位領域、例えば単位領域Ａ１は、ステント１０のどこに画定されてもよい。単位領域は適切な任意の大きさおよび形状であってよく、支柱２２および連結支柱１６のような任意の数の構造要素を含んでもよい。単位領域は、空間またはセル４０、４５をさらに含んでもよい。構造要素領域のセル領域に対する比較または比率は、任意の単位領域について画定されてもよい。構造要素領域の総面積に対する比較または比率は、任意の単位領域について画定されてもよい。大きさおよび形状が類似する複数の単位領域が比較されてもよく、単位領域の構造要素の面積は様々であってもよい。
【００３５】
第一の単位領域Ａ１は副枝構造４２付近に画定されてもよい。第一の単位領域Ａ１の少なくとも一部分は、ステント１０の中央部分５２に位置してもよい。一部の実施形態では、第一の単位領域Ａ１全体がステント１０の中央部分５２に位置してもよい。一部の実施形態では、第一の単位領域Ａ１全体は副枝構造４２の少なくとも一つの要素を含んでもよい。一部の実施形態では、例えば単位領域Ａ５で示されるように、第一の単位領域は任意の副枝構造４２を含まない。
【００３６】
第二の単位領域Ａ２はステント上に画定されてもよい。第二の単位領域Ａ２は、第一の単位領域Ａ１と同一の大きさと形状であってもよい。第二の単位領域Ａ２の少なくとも一部分は、例えば図１に示されるように第一の末端部分５０内または第二の末端部分５４内で、ステント１０の中央部分５２の外に位置してもよい。第二の単位領域Ａ２は、第一の単位領域Ａ１よりも副枝構造４２からさらに遠く離れて位置してもよい。
【００３７】
各単位領域は、総構造要素領域５６および総セル領域６０を有してもよい。総構造要素領域５６は、ステント外表面上で測った場合、単位領域内に位置するステント１０の全ての構造要素の総表面領域を含んでもよい。総セル領域６０は、ステント１０の外表面上で測った場合、単位領域内に位置するステント１０の空間またはセル４０、４５の総領域を含んでもよい。総セル領域６０と合わせた総構造要素領域５６は、単位領域の総領域と等しくてもよい。
【００３８】
第一の単位領域Ａ１は、第二の単位領域Ａ２よりも広い構造要素領域５６を有してもよい。第一の単位領域Ａ１は、第二の単位領域Ａ２よりも狭いセル領域６０を有してもよい。第一の単位領域Ａ１は、第二の単位領域Ａ２よりも金属を多く有してもよい。
【００３９】
一部の実施形態では、比較される単位領域は、類似した特性を有するステント１０の複数部分にわたって配置されてもよい。例えば、図１を参照すると、一部の実施形態では、第一の単位領域Ａ１の近位下側の角は、第一の単位領域Ａ１内に延びる直線支柱３０に連結する近位頂点２４上に位置づけられてもよい。同様に第二の単位領域Ａ２、および第三の単位領域Ａ３については、単位領域Ａ２、Ａ３の相当する近位下側の角は、単位領域Ａ２、Ａ３内に延びる直線支柱３０に連結する近位頂点２４上に位置づけられてもよい。
【００４０】
第三の単位領域Ａ３はステント１０上に画定されてもよい。第三の単位領域Ａ３は、第一の単位領域Ａ１と同一の大きさおよび形状であってもよい。第三の単位領域Ａ３は、図１に示されるように、第一の末端部分５０内または第二の末端部分５４内で、ステント１０の中央部分５２の外に位置してもよい。第三の単位領域Ａ３は、第二の単位領域Ａ２よりも副枝構造４２からさらに遠く離れて位置してもよい。
【００４１】
第二の単位領域Ａ２は、第三の単位領域Ａ３よりも広い構造要素領域５６を有してもよい。第二の単位領域Ａ２は、第三の単位領域Ａ３よりも狭いセル領域６０を有してもよい。第二の単位領域Ａ２は、第三の単位領域Ａ３よりも金属を多く有してもよい。従って、第一の単位領域Ａ１は第三の単位領域Ａ３よりも広い構造要素領域５６を有してもよい。
第一の単位領域Ａ１は第三の単位領域Ａ３よりも狭いセル領域６０を有してもよい。
【００４２】
第四の単位領域Ａ４はステント１０上に画定されてもよい。第四の単位領域Ａ４は、第一の単位領域Ａ１と同一の大きさおよび形状であってもよい。第四の単位領域Ａ４は、第一の単位領域Ａ１よりも副枝構造４２からさらに遠く離れて位置してもよい。第一の単位領域Ａ１は第四の単位領域Ａ４よりも広い構造要素領域５６を有してもよい。第一の単位領域Ａ１は第四の単位領域Ａ４よりも狭いセル領域６０を有してもよい。
【００４３】
一部の実施形態では、第四の単位領域Ａ４は第二の単位領域Ａ２からの副枝構造４２上に位置してもよい。一部の実施形態では、第四の単位領域Ａ４内に位置するステント１０の構造要素は、第二の単位領域Ａ２内に位置するステント１０の構造要素の鏡像を含んでもよい。鏡像は、副枝構造４２の中央または重心を通過する鏡像線５８を隔てて形成されてもよい。一部の実施形態では、鏡像線５８はステント１０の外周を含んでもよい。一部の実施形態では、鏡像線５８はステント１０の長さに沿ってステント１０を二等分してもよい。
【００４４】
その他様々な単位領域がステント１０のどこに画定されてもよい。一般的に、大きさおよび形状が類似した二つの単位領域を比較する場合、副枝構造４２のより近くに位置する単位領域は、副枝構造４２からさらに遠く離れて位置する単位領域よりも広い構造要素領域５６および狭いセル領域６０を有してもよい。副枝構造４２のより近くに位置する単位領域は、副枝構造４２からさらに遠く離れて位置する単位領域よりも金属を多く有してもよい。副枝構造４２からの距離は、副枝構造４２の中央から各単位領域の中央まで測定しもよい。
【００４５】
一部の実施形態では、本発明は、例えば図１に示されるように、連結柱１９あたりの連結支柱１６の数が副枝構造４２からの距離が遠くなるにしたがって減る場合があるステント１０を対象とする。
【００４６】
完全連結柱２５はステント１０の周囲にほぼ完全に延びる連結柱１９を備えてもよい。完全連結柱２５は副枝構造４２に中断されない。
図１を参照すると、第一の連結柱６１は第一の蛇行バンド７１と第二の蛇行バンド７２の間に位置してもよい。第一の蛇行バンド７１はステント１０の中央部分５２に位置してもよい。第一の連結柱６１はステント１０の中央部分５２に位置してもよい。第二の連結柱６２は第三の蛇行バンド７３と第四の蛇行バンド７４の間に位置してもよい。第三の蛇行バンド７３は、中央部分５２の外側に位置してもよく、例えば第二の末端部分５４内に位置する。第一の連結柱６１は、第二の連結柱６２よりも連結支柱１６の数が多くてもよい。
【００４７】
一部の実施形態では、第一の連結柱６１は完全連結柱２５を備えてもよい。第一の連結柱６１はステント１０の長さに沿って、副枝構造４２に隣接してもよい。第一の連結柱６１はステント１０の長さに沿って、第二の連結柱６２よりも副枝構造４２に一層近く位置してもよい。
【００４８】
ステント１０は第五の蛇行バンド７５をさらに含んでもよい。第五の蛇行バンド７５は、ステント１０の長さに沿って第二の蛇行バンド７２に隣接してもよく、第二の蛇行バンド７２に第三の連結柱６３で連結されてもよい。第一の連結柱６１は第三の連結柱６３よりも連結支柱１６の数が多くてもよい。第三の連結柱６３は第二の連結柱６２よりさらに多い連結支柱１６を有してもよい。
【００４９】
第五の蛇行バンド７５は、第四の連結柱６４で第四の蛇行バンド７４にさらに連結され
てもよい。第四の連結柱６４は中央部分５２の外に位置してもよい。第三の連結柱６３は第四の連結柱６４よりさらに多い連結支柱１６を有してもよい。第四の連結柱６４は第二の連結柱６２よりさらに多い連結支柱１６を有してもよい。
【００５０】
ステント１０は、第三の蛇行バンド７３に連結される少なくとも一つの連結支柱１６を備える第五の連結柱６５をさらに含んでもよい。一部の実施形態では、第五の連結柱６５は第二の連結柱６２と同数の連結支柱１６を備えてもよい。一部の実施形態では、第五の連結柱６５はステント末端１４に最も近い連結柱１９であってもよい。
【００５１】
一部の実施形態では、第一の連結柱６１は、ステント１０の長さに沿って副枝構造４２に対して遠位に位置してもよく、第一の連結柱６１より遠位に位置する各連結柱１９は第一の連結柱６１よりも少数の連結支柱１６を含む。一部の実施形態では、第一の連結柱６１より遠位に位置する各連結柱１９は、ステント１０を遠位末端１４に向かって横切るにしたがって前記各連結柱１９よりも連結支柱１６をより少数含んでもよい。例えば、ステント１０の長さに沿って副枝構造４２に対して遠位に位置する任意選択された連結柱１９では、選択された連結柱１９より遠位に位置する別の連結柱１９は、選択された連結柱１９よりも少数の連結支柱１６を含んでもよく、選択された連結柱１９より近位に位置する別の連結柱１９は、選択された連結柱１９よりも多数の連結支柱１６を含んでもよい。一部の実施形態では、連結柱１９あたりの連結支柱１６の数の減少は、連結柱１９からステント１０の末端１２、１４に向かって副枝構造４２から遠ざかる方向に横切るにしたがって一様であってもよい。
【００５２】
一部の実施形態では、図１について述べたように、連結柱６１−６５および蛇行バンド７１−７５は全てステント１０の長さに沿って副枝構造４２に対して遠位に位置してもよい。図１に示されるように、副枝構造４２の近位側のステント構造は、副枝構造４２の遠位側のステント構造の実質的に鏡像を成してもよい。鏡像は、副枝構造４２の中央を通過する鏡像線５８を隔てて形成されてもよい。従って、連結柱１９あたりの連結支柱１６の数は、副枝構造４２に隣接する連結柱１９からステント１０のそれぞれの末端１２、１４に向かって、副枝構造４２のどちらかの側で減少してもよい。
【００５３】
一部の実施形態では、本発明は、例えば図２に示されるように、蛇行バンド２０および／または連結支柱１６の幅が、ステント１０の長さに沿って副枝構造４２の中心からの距離が長くなるにしたがって減少する場合もあるステント１０を対象とする。
【００５４】
図２を参照すると、第一の蛇行バンド１７１はステント１０の中央部分５２に位置してもよく、第一の幅を有する支柱２２を含んでもよい。第二の蛇行バンド１７２は中央部分５２の外に位置してもよく、例えば第二の末端部分５４内に位置し、第二の幅を有する支柱２２を含んでもよい。第一の幅は第二の幅よりも幅広くてもよい。第一の蛇行バンド１７１は第二の蛇行バンド１７２より副枝構造４２のより近くに位置してもよい。
【００５５】
第三の蛇行バンド１７３は第一の蛇行バンド１７１および第二の蛇行バンド１７２の間に位置してもよい。第三の蛇行バンド１７３は第三の幅を有する支柱２２を含んでもよい。第三の幅は第一の幅より狭くてもよい。第三の幅は第二の幅より広くてもよい。
【００５６】
第四の蛇行バンド１７４は第一の蛇行バンド１７１および第三の蛇行バンド１７３の間に位置してもよい。第四の蛇行バンド１７４は第四の幅を有する支柱２２を含んでもよい。第四の幅は第一の幅より狭くてもよい。第三の幅は第三の幅より広くてもよい。
【００５７】
一部の実施形態では、第一の連結柱１６１は、第一の連結支柱幅を有し第一の蛇行バンド１７１に連結されている連結支柱１６を少なくとも一つ備えてもよい。第二の連結柱１
６２は、第二の連結支柱幅を有し第二の蛇行バンド１７２に連結されている連結支柱１６を少なくとも一つ備えてもよい。第一の連結支柱幅は第二の連結支柱幅より幅広くてもよい。
【００５８】
ステント１０は第三の連結支柱幅を有し第二の蛇行バンド１７２に連結されている連結支柱１６を含む第三の連結柱１６３をさらに含んでもよい。第三の連結支柱幅は第二の連結支柱幅より狭くてもよい。
【００５９】
一部の実施形態では、第一の蛇行バンド１７１は副枝構造４２より遠位に位置してもよく、第一の蛇行バンド１７１に対して遠位に位置する各蛇行バンド２０は、第一の幅より狭い幅を有する支柱を含んでもよい。
【００６０】
一部の実施形態では、蛇行バンド２０の支柱２２の幅は、ステント１０のどちらかの末端１２、１４に向かって副枝構造４２の中央からステント１０を横切るにしたがって狭くなってもよい。一部の実施形態では、蛇行バンド２０の支柱２２の幅は、ステント１０のどちらかの末端１２、１４に向かって副枝構造４２の中央からステント１０を横切るにしたがって連続的または一様に狭くなってもよい。
【００６１】
一部の実施形態では、連結柱１９の連結支柱１６の幅は、ステント１０のどちらかの末端１２、１４に向かって副枝構造４２の中央からステント１０を横切るにしたがって狭くなってもよい。一部の実施形態では、連結柱１９の連結支柱１６の幅は、ステント１０のどちらかの末端１２、１４に向かって副枝構造４２の中央からステント１０を横切るにしたがって連続的または一様に狭くなってもよい。
【００６２】
一部の実施形態では、連結柱１９の連結支柱１６の幅および蛇行バンド２０の支柱２２の幅は、ステント１０のどちらかの末端１２、１４に向かって副枝構造４２の中央からステント１０を横切るにしたがって狭くなってもよい。一部の実施形態では、幅の減少は連続的または一様であってもよい。
【００６３】
一部の実施形態では、連結柱１９は蛇行バンド２０に隣接した支柱２２と同一幅を有する連結支柱１６を含んでもよい。幅が同一である場合、連結柱１９および蛇行バンド２０は、幅対４８と見なされてもよい。例えば、第一の連結柱１６１は、第一の蛇行バンド１７１の支柱２２と同一幅を有する連結支柱１６を備えてもよい。第一の連結柱１６１および第一の蛇行バンド１７１は、幅対４８を備えてもよい。一部の実施形態では、隣接する幅対４８の幅は、ステント１０の末端１２、１４に向かって副枝構造４２の中央からステント１０を横切るにしたがって狭くなってもよい。一部の実施形態では、隣接する幅対４８間の幅対４８の構成要素の幅の減少は、ステント１０の末端１２、１４に向かって副枝構造４２の中央からステント１０を横切るにしたがって連続的または一様に狭くなってもよい。
【００６４】
一部の実施形態では、図２について述べたように、連結柱１６１−１６３および蛇行バンド１７１−１７４は全てステント１０の長さに沿って副枝構造４２の中央に対して遠位に位置してもよい。一部の実施形態では、副枝構造４２の中央の近位側のステント構造は同様の特徴を含んでもよい。図２に示されるように、副枝構造４２の中央の近位側のステント構造は、副枝構造４２の遠位側のステント構造の実質的に鏡像を成してもよい。鏡像は、副枝構造４２の中央を通過する鏡像線５８を隔てて形成されてもよい。
【００６５】
一部の実施形態では、本発明は、例えば図３および４に示されるように、蛇行バンド２０の波長λがステント１０の長さに沿って副枝構造４２の中心からの距離が長くなるに従って増加する場合もあるステント１０を対象とする。
【００６６】
図３および４を参照すると、各蛇行バンド２０は実質的に波様の形状を備えてもよい。各蛇行バンド２０は波長λまたは各蛇行バンド２０の反復要素間の距離を有してもよい。例えば、波長λは、各蛇行バンド２０の近位頂点２４間の距離、または各蛇行バンド２０の隣接する遠位凹み２６間の距離を含んでもよい。一部の実施形態では、波長λはステント１０の周囲あたりで測定されてもよい。
【００６７】
一部の実施形態では、第一の蛇行バンド２７１は、第一の蛇行バンド２７１の隣接する遠位凹み２６が第一の距離で隔てられる第一の波長λを備えてもよい。第一の蛇行バンド２７１は、ステント１０の中央部分５２に位置してもよく、一部の実施形態では、副枝構造４２の構成要素の少なくとも一つに連結してもよい。第二の蛇行バンド２７２は、第二の蛇行バンド２７２の隣接する遠位凹み２６が第二の距離で隔てられる第二の波長λを備えてもよい。第二の蛇行バンド２７２は、ステント１０の長さに沿って、副枝構造４２の中心から第一の蛇行バンド２７１よりも遠く離れて位置してもよい。第二の波長λは第一の波長λより長くてもよく、第二の距離は第一の距離より長くてもよい。
【００６８】
一部の実施形態では、第一の蛇行バンド２７１は副枝構造４２の中心に対して遠位に位置してもよく、第二の蛇行バンド２７２は第一の蛇行バンド２７１に対して遠位に位置してもよい。
【００６９】
第三の蛇行バンド２７３は、第三の蛇行バンド２７３の隣接する遠位凹み２６が第三の距離で隔てられる第三の波長λを備えてもよい。第三の蛇行バンド２７３は、例えば、第二の末端部分５４に位置して、ステント１０の中央部分５２の外側に位置してもよい。第三の蛇行バンド２７３は、第一の蛇行バンド２７１および第二の蛇行バンド２７２の両方に対して遠位に位置してもよい。第三の波長λは、第一および第二の波長λの両方より長くてもよく、第三の距離は第一および第二の距離の両方より長くてもよい。一部の実施形態では、第三の蛇行バンド２７３は第二の蛇行バンド２７２より少ない遠位凹み２６を有してもよい。
【００７０】
一部の実施形態では、ステント１０は、第四の蛇行バンド２７４の隣接する遠位凹み２６が第四の距離で隔てられる、第四の波長を有する第四の蛇行バンドをさらに含んでもよい。第四の蛇行バンド２７４は、例えば第二の末端部分５４に位置して、ステント１０の中央部分５２の外側に位置してもよい。第四の蛇行バンド２７４は、第三の蛇行バンド２７３に対して遠位に位置してもよい。第四の波長λは、第三の波長λより長くてもよく、第四の距離は第三の距離より長くてもよい。一部の実施形態では、第４の蛇行バンド２７４は第三の蛇行バンド２７３より少ない遠位凹み２６を有してもよい。
【００７１】
一部の実施形態では、蛇行バンド２０の波長λは、ステント１０のどちらかの末端１２、１４に向かって副枝構造４２の中央からステントを横切るにしたがって長くなってもよい。一部の実施形態では、蛇行バンド２０の波長λは、ステント１０のどちらかの末端１２、１４に向かって副枝構造４２の中央からステント１０を横切るにしたがって隣接する蛇行バンド２０間で連続的または一様に長くなってもよい。
【００７２】
一部の実施形態では、図３および４について述べたように、蛇行バンド２７１−２７４は全てステント１０の長さに沿って副枝構造４２に対して遠位に位置してもよい。一部の実施形態では、副枝構造４２の中央の近位側のステント構造は同様の特徴を含んでもよい。図３および４に示されるように、副枝構造４２の中央の近位側のステント構造は、副枝構造４２の遠位側のステント構造の実質的に鏡像を成してもよい。鏡像は、副枝構造４２の中央を通過する鏡像線５８を隔てて形成されてもよい。
【００７３】
一部の実施形態では、本発明は、例えば図４および５に示されるように、蛇行バンド２０の支柱２２の長さおよび／または蛇行バンド２０のステント縦方向は、ステント１０の長さに沿って副枝構造４２の中心からの距離が長くなるに従って増加する、ステント１０を対象とする。
【００７４】
図４および５を参照すると、各蛇行バンド２０は、ステント縦軸１１と平行であってもよいステントの縦方向で測定したステント各蛇行バンド２０の距離を含む、構成要素の長さｌを有してもよい。
【００７５】
第一の蛇行バンド３７１は、ステントの縦方向で測定した構成要素の長さを有する。第一の蛇行バンド３７１はステント１０の中央部分５２に位置してもよく、一部の実施形態では、副枝構造４２の構成要素の少なくとも一つに連結してもよい。第二の蛇行バンド３７２はステントの縦方向で測定した第二の構成要素の長さを有してもよい。第二の蛇行バンド３７２はステント１０の長さに沿って、副枝構造４２の中心から第一の蛇行バンド３７１よりも遠く離れて位置してもよい。第二の構成要素の長さは第一の構成要素の長さより長くてもよい。第二の蛇行バンド３７２の支柱２２は、第一の蛇行バンド３７１の支柱２２より長くてもよい。
【００７６】
一部の実施形態では、ステント１０はステントの縦方向で測定した第三の構成要素の長さを有する第三の蛇行バンド３７３をさらに含んでもよい。第三の蛇行バンド３７３は、例えば、第二の末端部分５４に位置して、ステント１０の中央部分５２の外側に位置してもよい。第三の蛇行バンド３７３は、ステント１０の長さに沿って副枝構造４２の中央から第二の蛇行バンド３７２よりもさらに離れて位置してもよい。第三の構成要素の長さは第二の構成要素の長さより長くてもよい。第三の蛇行バンド３７３の支柱２２は、第二の蛇行バンド３７２の支柱２２より長くてもよい。
【００７７】
一部の実施形態では、ステント１０はステントの縦方向で測定した第四の構成要素の長さを有する第四の蛇行バンド３７４をさらに含んでもよい。第四の蛇行バンド３７４は、例えば、第二の末端部分５４に位置して、ステント１０の中央部分５２の外側に位置してもよい。第四の蛇行バンド３７４は、ステント１０の長さに沿って副枝構造４２の中央から第三の蛇行バンド３７３よりもさらに離れて位置してもよい。第四の構成要素の長さは第三の構成要素の長さより長くてもよい。第四の蛇行バンド３７４の支柱２２は、第三の蛇行バンド３７３の支柱２２より長くてもよい。
【００７８】
一部の実施形態では、ステントの縦方向で測定した様々な蛇行バンド２０の構成要素の長さｌは、ステント１０のどちらかの末端１２、１４に向かって副枝構造４２の中央からステント１０を横切るにしたがって長くなってもよい。一部の実施形態では、様々な蛇行バンド２０の構成要素の長さｌは、ステント１０のどちらかの末端１２、１４に向かって副枝構造４２の中央からステント１０を横切るにしたがって隣接する蛇行バンド２０の間で連続的または一様に長くなってもよい。
【００７９】
一部の実施形態では、様々な蛇行バンド２０の支柱２２の長さは、ステント１０のどちらかの末端１２、１４に向かって副枝構造４２の中央からステント１０を横切るにしたがって長くなってもよい。一部の実施形態では、様々な蛇行バンド２０の支柱２２の長さは、ステント１０のどちらかの末端１２、１４に向かって副枝構造４２の中央からステント１０を横切るにしたがって隣接する蛇行バンド２０の間で連続的または一様に長くなってもよい。
【００８０】
一部の実施形態では、図４および５について述べたように、蛇行バンド３７１−３７４は全てステント１０の長さに沿って副枝構造４２の中央に対して遠位に位置してもよい。
一部の実施形態では、副枝構造４２の中央の近位側のステント構造は同様の特徴を含んでもよい。図４および５に示されるように、副枝構造４２の中央の近位側のステント構造は、副枝構造４２の遠位側のステント構造の実質的に鏡像を成してもよい。鏡像は、副枝構造４２の中央を通過する鏡像線５８を隔てて形成されてもよい。
【００８１】
図６は、構造要素の密集が副枝構造４２近くでより高い場合がある、ステント１０の別の実施形態を示す。図６のステント１０は、同様の参照数字によって示されたように、図１−５について本明細書で述べられた他の実施形態の様々な特徴を含む。
【００８２】
連結柱１９あたりの連結支柱１６の数は、例えば図１について本明細書に記載の通り、副枝構造４２からの距離が増すに従って減少してもよい。参照数字６１−６４は、図１の実施形態の説明を図６の実施形態に適用することができる連結柱１９を示す。
【００８３】
蛇行バンド２０の波長λは、例えば図３および４について本明細書に記載の通り、ステント１０の長さに沿って副枝構造４２の中心からの距離が長くなるに従って増加してもよい。参照数字２７１−２７４は、図３および４の実施形態の説明を図６の実施形態に適用できる、蛇行バンド２０を示す。
【００８４】
ステントの縦方向で測定した蛇行バンド２０の構成要素の長さｌは、例えば図４および５について本明細書に記載の通り、ステント１０の長さに沿って副枝構造４２の中心からの距離が長くなるに従って長くなってもよい。参照数字３７１−３７４は、図３および４の実施形態の説明を図６の実施形態に適用できる、蛇行バンド２０を示す。
【００８５】
一部の実施形態では、ステント１０は、ステント１０の長さに沿った途中に位置する場合がある、中央蛇行バンド８０を備えてもよい。第一の近位バンド８２は中央蛇行バンド８０に対して近位に位置してもよく、第一の遠位バンド８４は中央蛇行バンド８０に対して遠位に位置してもよい。一部の実施形態では、第一の遠位バンド８４は第一の近位バンド８２の実質的な鏡像を成してもよい。一部の実施形態では、第一の遠位バンド８４に対して遠位に位置する全ての蛇行バンド２０および連結支柱１６は、第一の近位バンド８２の実質的な鏡像を成してもよい。鏡像は、副枝構造４２の中央を通過する鏡像線５８を隔てて形成されてもよい。一部の実施形態では、鏡像線５８は中央蛇行バンド８０の構成要素の長さｌを二等分してもよい。
【００８６】
本発明のステント１０は、一つ以上のポリマー、一つ以上の金属、またはポリマーと金属の組み合わせを含む、適切な任意の生体適合性材料で作成されてもよい。適切な材料の例には、生体適合性でもある生体分解性材料が含まれる。生分解性とは、材料が正常な生体内作用の一部として分解、または無害な化合物への分解を受けることを意味する。適切な生分解性材料は、ポリ乳酸、ポリグリコール酸（ＰＧＡ）、コラーゲン、またはその他の結合タンパク質もしくは結合性天然材料、ポリカプロラクトン、ヒアルロン酸、接着タンパク質、これらの材料の共重合体、ならびにこれらの混合物および組み合わせ、ならびにその他の生分解性ポリマーの組み合わせなどが挙げられる。使用される可能性があるその他のポリマーは、ポリエステルおよびポリカーボネート共重合体を含む。適切な材料の例は、ステンレス鋼、チタン、タンタル、プラチナ、タングステン、金、および上述の金属の任意の合金を含むが、これらに限定はされない。適切な合金の例は、プラチナイリジウム合金、ＥｌｇｉｌｏｙおよびＰｈｙｎｏｘを含むコバルトクロム合金、ＭＰ３５Ｎ合金、ならびにニッケルチタン合金、例えばニチノールなどを含む。
【００８７】
本発明のステントは、超弾性ニチノールもしくはバネ鋼といった形状記憶材料で作成されてもよく、または可塑的に変形可能な材料で作成されてもよい。形状記憶材料の場合、ステントは記憶された形状で提供され、その後、直径を縮小した形状に変形されてもよい
。ステントは遷移温度に加熱され、そこから何らかの制限が取り除かれると、記憶された形状に復元することができる。
【００８８】
本発明のステントは、管状の材料から、切断もしくはエッチングされてその後丸められる平板から、または一つもしくは複数の織り合わされたワイヤーもしくはひもから、構造を切断もしくはエッチングするなどの方法によって作成されてもよい。当技術分野で知られている、または後に開発されるその他の適切な手法も、本明細書に述べられた本発明のステント製造に用いられてもよい。
【００８９】
一部の実施形態では、ステント、送達システム、またはその他の組立部品の一部は、Ｘ線、ＭＲＩ、超音波などといった画像診断法で検出可能な一つ以上の領域、バンド、被覆物、部材などを含んでもよい。一部の実施形態では、少なくともステントおよび／または隣接する組立部品の一部が、少なくとも部分的に放射線不透過性である。
【００９０】
一部の実施形態では、ステントの少なくとも一部は、治療薬送達のための一つ以上の機構を含むように作成される。しばしば薬剤は、ステントの表面領域上に取りつけられる材料の被覆物またはその他の層（または複数の層）の形になり、ステントが埋め込まれた部位またはステントに隣接する領域に薬剤が放出されるようになされる。
【００９１】
治療薬は、非遺伝子薬、遺伝子薬、細胞材料などといった、薬剤またはその他の医薬品であってもよい。適切な非遺伝子治療薬の一部の例は、ヘパリン、ヘパリン派生物、血管細胞増殖促進因子、増殖因子阻害剤、パクリタキセルなどといった抗血栓症薬を含むが、これらに限定されない。薬剤が遺伝子治療薬を含む場合、前記遺伝子薬はＤＮＡ、ＲＮＡ、およびそれらそれぞれの派生物および／または成分、ヘッジホッグタンパク質など含む可能性があるが、それに限定されない。治療薬が細胞材料を含む場合、細胞材料はヒト由来の細胞およびまたは非ヒト由来細胞、ならびにそれらそれぞれの成分および／またはそれらの派生物を含む可能性があるが、それに限定されない。治療薬が高分子剤を含む場合、高分子剤はポリスチレン・ポリイソブチレン・ポリスチレン・トリブロック共重合体（ＳＩＢＳ）、ポリエチレン・オキシド、シリコーンゴムおよび／またはその他任意の適切な基質であってもよい。
【００９２】
一部の実施形態では、本発明は本明細書に述べられた特性を有するステント製造方法を対象とする。
一部の実施形態では、以下の番号付けされた段落に述べられたようなステントを対象とする。
【００９３】
１）相互連結支柱部材の一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
複数の蛇行バンドおよび複数の連結支柱をさらに画定する前記相互連結支柱部材、少なくとも一つの連結支柱によって接続された隣接する蛇行バンドと、
少なくとも二つの相互連結支柱部材を含む前記中央部分に位置する第一の単位領域と、
前記第一の単位領域と同様の大きさおよび形状を有する前記中央部分の外側に位置する第二の単位領域域と
を備えるステントであって、
第一の単位領域が第二の単位領域より金属をより多く含むステント。
【００９４】
２）段落１のステントであって、前記第一の単位領域内の前記相互連結支柱部材の外側総面積が第二の単位領域内の前記相互連結支柱部材の外側総面積よりも広いステント。
３）段落１のステントであって、前記第一の単位領域が少なくとも一つの連結支柱および二つの蛇行バンドの少なくとも一部分を含むステント。
【００９５】
４）複数のセルをさらに備える段落１のステントであって、前記第一の単位領域内のセルの総面積が前記第二の単位領域内のセルの総面積より狭いステント。
５）段落１のステントであって、前記第一の末端部分、前記中央部分、および前記第二の末端部が等しい長さを有するステント。
【００９６】
６）段落１のステントであって、前記第一の単位領域が前記副枝構造の少なくとも一つの支柱を含むステント。
７）段落１のステントであって、前記第二の単位領域が前記第二の末端部分に位置するステント。
【００９７】
８）前記第一の単位領域と同様の大きさおよび形状を有する第三の単位領域をさらに含む段落１のステントであって、前記第一の単位領域が前記第三の単位領域よりも金属をより多く含むステント。
【００９８】
９）段落８のステントであって、前記第二の単位領域が前記第三の端一領域よりも金属をより多く含むステント。
１０）前記第一の単位領域と同様の大きさおよび形状を有する第三の単位領域をさらに含む段落１のステントであって、前記第一の単位領域内の前記相互連結支柱部材の外側総面積が前記第三の単位領域内の前記相互連結支柱部材の外側総面積よりも広いステント。
【００９９】
１１）段落１０のステントであって、前記第二の単位領域内の前記相互連結支柱部材の外側総面積が前記第三の単位領域内の前記相互連結支柱部材の外側総面積よりも広いステント。
【０１００】
１２）段落１０のステントであって、前記第二の単位領域が前記ステントの長さに沿って前記第一の単位領域および前記第三の単位領域の間に位置するステント。
１３）段落１０のステントであって、前記第二の単位領域および前記第三の単位領域が前記ステントの長さに沿って前記副枝構造の反対側に位置するステント。
【０１０１】
１４）前記第一の単位領域と同様の大きさおよび形状を有する第三の単位領域をさらに含む段落１のステントであって、前記第一の単位領域内の前記相互連結支柱部材の外側総面積が前記第三の単位領域内の前記相互連結支柱部材の外側総面積と実質的に等しいステント。
【０１０２】
１５）段落１４のステントであって、前記第二の単位領域および前記第三の領域が前記ステントの長さに沿って前記副枝構造の反対側に位置するステント。
１６）段落１４のステントであって、前記第三の単位領域の前記相互連結支柱部材が前記第二の単位領域の前記相互連結支柱部材の実質的に鏡像を成すステント。
【０１０３】
１７）段落１６のステントであって、前記実質的鏡像が前記副枝構造の中央を通過する線を隔てて形成されるステント。
１８）段落１のステントであって、前記中央部分に位置する第一の蛇行バンドが複数の連結支柱を備える第一の連結柱によって第二の蛇行バンドに連結され、前記中央部分の外側に位置する第三の蛇行バンドが少なくとも一つの連結支柱を備える第二の連結柱によって第四の蛇行バンドに連結され、前記第一の連結柱が前記第二の連結柱より連結支柱をより多く有するステント。
【０１０４】
１９）前記ステントが複数の連結柱を備える段落１８のステントであって、前記第一の連結柱が前記ステントの長さに沿って前記副枝構造に対して遠位に位置し、前記第一の連結柱に対して遠位に位置する各連結柱が前記第一の連結柱より少ない連結支柱を含むステント。
【０１０５】
２０）段落１のステントであって、前記中央部分に位置する第一の蛇行バンドが第一の幅を有する第一の支柱を備え、前記中央部分の外側に位置する第二の蛇行バンドが第二の幅を有する第二の支柱を備え、前記第一の幅が前記第一の幅より広いステント。
【０１０６】
２１）第一の蛇行バンドおよび第二の蛇行バンドをさらに備える段落１のステントであって、前記第一の蛇行バンドの隣接した遠位凹みが第一の距離で隔てられ、前記第二の蛇行バンドの隣接した遠位凹みが前記第一の距離よりも長い第二の距離で隔てられているステント。
【０１０７】
２２）段落２１のステントであって、前記第二の蛇行バンドに対して遠位に位置する各蛇行バンドの隣接した遠位凹みの間の前記距離が各連続的蛇行バンドにしたがって長くなるステント。
【０１０８】
２３）第一の蛇行バンドおよび第二の蛇行バンドをさらに含む段落１のステントであって、前記第一の蛇行バンドが前記ステントの前記中央部分に位置し、第一の構成要素の長さを成し、前記第二の蛇行バンドが前記第一の蛇行バンドに対して遠位に位置し、前記第二の蛇行バンドが前記第一の構成要素の長さより長い第二の構成要素の長さを成すステント。
【０１０９】
２４）段落２３のステントであって、前記第二の蛇行バンドに対して遠位に位置する各蛇行バンドの構成要素の長さが、各連続的蛇行バンドにしたがって長くなるステント。
２５）前記第二の蛇行バンドが前記第一の蛇行バンドよりも少ない遠位凹みを備える段落２３のステント。
【０１１０】
２６）段落２５のステントであって、前記第二の蛇行バンドに対して遠位に位置する各蛇行バンドの遠位凹みの数が各連続的蛇行バンドにしたがって少なくなるステント
一部の実施形態では、ステント１０は例えば図１および６に示され、また以下の番号付けされた段落に記載の通り、連結柱１９当たりの様々な数の連結支柱１６を有してもよい。
【０１１１】
１）相互連結支柱部材の一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
少なくとも一つの連結支柱を備える連結柱によって接続された隣接する複数の蛇行バンドおよび複数の連結支柱をさらに画定する前記相互連結支柱部材と
を備えるステントであって、
前記中央部分に位置する第一の蛇行バンドが複数の連結支柱を備える第一の連結柱によって第二の蛇行バンドに連結され、前記中央部分の外側に位置する第三の蛇行バンドが少なくとも一つの連結支柱を備える第二の連結柱によって第四の蛇行バンドに連結され、前記第一の連結柱が前記第二の連結柱より連結支柱を多く有するステント。
【０１１２】
２）少なくとも一つの連結支柱を備える第三の連結柱によって前記第二の蛇行バンドに連結された第五の蛇行バンドをさらに備え、前記第一の連結柱が前記第三の連結柱より連結支柱を多く有する、段落１のステント。
【０１１３】
３）前記第三の連結柱が前記第二の連結柱より連結支柱を多く有する段落２のステント。
４）段落２のステントであって、前記第五の蛇行バンドが第四の連結柱によって前記第四の蛇行バンドに連結され、前記第四の連結柱が少なくとも一つの連結支柱を備えるステント。
【０１１４】
５）段落４のステントであって、前記第三の連結柱が前記第四の前記柱より連結支柱を多く備えるステント。
６）段落５のステントであって、前記第四の連結柱が前記第二の連結柱より連結支柱を多く備えるステント。
【０１１５】
７）前記第二の連結柱と同数の連結支柱を有する第三の連結柱をさらに備え、前記第二の連結柱および前記第三の連結柱が前記ステントの長さに沿って前記副枝構造の反対側に位置する、段落１のステント。
【０１１６】
８）前記第一の連結柱と同数の連結支柱を有する第四の連結柱をさらに備え、前記第一の連結柱および前記第四の連結柱が前記ステントの長さに沿って前記副枝構造の反対側に位置する、段落７のステント。
【０１１７】
９）段落１のステントであって、前記第一の連結柱が第一の方向に向けられた直線連結支柱を備え、前記第三の連結柱が前記第一の方向と異なる第二の方向に向けられた直線連結支柱を備えるステント。
【０１１８】
１０）段落１のステントであって、前記第二の蛇行バンドが直線支柱および湾曲支柱を交互に備えるステント。
１１）段落１０のステントであって、前記第三の蛇行バンドが前記第二の蛇行バンドと同一形状を備えるステント。
【０１１９】
１２）段落１のステントであって、前記第一の連結柱が前記ステントの長さに沿って前記副枝構造に対して遠位に位置し、前記第一の連結柱に対して遠位に位置する各連結柱が前記第一の連結柱より少ない連結支柱を含むステント。
【０１２０】
一部の実施形態では、ステント１０は、例えば図２に示されるように、また以下の番号付けされた段落に記載の通り、様々な幅の支柱２２を有する蛇行バンド２０を備えてもよい。
【０１２１】
１）相互連結支柱部材の一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
少なくとも一つの連結支柱を備える連結柱によって接続された隣接する複数の蛇行バンドおよび複数の連結支柱をさらに画定する前記相互連結支柱部材と、
を備えるステントであって、
前記中央部分に位置する第一の蛇行バンドが第一の幅を有する第一の支柱を備え、前記中央部分の外側に位置する第二の蛇行バンドが第二の幅を有する第二の支柱を備え、前記第一の幅が前記第二の幅より広いステント。
【０１２２】
２）前記第二の幅と等しい幅を有する支柱を備える第三の蛇行バンドをさらに備え、前記第二の蛇行バンドおよび前記第三の蛇行バンドが前記副枝構造の反対側に位置する段落
１のステント。
【０１２３】
３）前記第一の蛇行バンドおよび前記第二の蛇行バンドの間に位置する第三の蛇行バンドをさらに備え、前記第三の蛇行バンドが第三の幅を有する第三の支柱を備え、前記第三の幅が前記第一の幅より狭い、段落１のステント。
【０１２４】
４）段落３のステントであって、前記第三の幅が前記第二の幅より広いステント。
５）前記第一の蛇行バンドおよび前記第三の蛇行バンドの間に位置する第四の蛇行バンドをさらに備え、前記第四の蛇行バンドが第四の幅を有する第四の支柱を備え、前記第四の幅が前記第一の幅より狭い、段落３のステント。
【０１２５】
６）段落５のステントであって、前記第四の幅が前記第三の幅より広いステント。
７）段落１のステントであって、前記第一の蛇行バンドが前記ステントの長さに沿って前記副枝構造に対して遠位に位置し、前記第一の蛇行バンドに対して遠位に位置する各蛇行バンドが前記第一の幅より狭い幅を有する支柱を備えるステント。
【０１２６】
８）段落１のステントであって、前記第一の蛇行バンドが直線支柱および湾曲支柱を交互に備えるステント。
９）段落１のステントであって、第一の連結柱が前記第一の蛇行バンドに連結する第一の連結支柱を備え、前記第一の連結支柱が第一の連結支柱幅を有し；第二の連結柱が前記第二の蛇行バンドに連結する第二の連結支柱を備え、前記第二の連結支柱が第二の連結支柱幅を有し、前記第一の連結支柱幅が前記第二の連結支柱幅より広いステント。
【０１２７】
１０）段落９のステントであって、前記第一の連結支柱が第一の方向に向けられ、前記第二の連結支柱が前記第一の方向と異なる第二の方向に向けられるステント。
１１）前記第二の蛇行バンドに連結する第三の連結支柱を備える第三の連結柱をさらに備え、前記第三の連結支柱が前記第二の連結支柱幅より狭い第三の連結支柱幅を有する、段落９のステント。
【０１２８】
１２）段落１１のステントであって、前記第三の連結支柱が前記第一の連結支柱と同一方向に向けられるステント。
一部の実施形態では、例えば図３、４、および６に示されるように、また以下に番号付けされた段落で述べられるように、ステント１０は様々な波長を含む、または様々な数の近位頂点２４および／または遠位凹み２６を含む蛇行バンド２０を備えてもよい。
【０１２９】
１）複数の相互連結支柱部材の一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
各蛇行バンドが近位頂点および遠位凹みを交互に備え、少なくとも一つの連結支柱を備える連結柱によって接続された隣接する複数の蛇行バンドおよび複数の連結支柱をさらに画定する前記相互連結支柱部材と、
第一の蛇行バンドの隣接した遠位凹みが第一の距離で隔てられる、第一の蛇行バンドと、
第二の蛇行バンドの隣接した遠位凹みが前記第一の距離より長い第二の距離によって隔てられる第二の蛇行バンドと
を備えるステント。
【０１３０】
２）段落１のステントであって、前記第二の蛇行バンドが前記ステントの長さに沿って
前記第一の蛇行バンドに対して遠位に位置するステント。
３）段落２のステントであって、前記第一の蛇行バンドが前記ステントの長さに沿って前記副枝構造に対して遠位に位置するステント。
【０１３１】
４）段落１のステントであって、前記第一の蛇行バンドが前記副枝構造の少なくとも一つの支柱と連結するステント。
５）前記第三の蛇行バンドの隣接した遠位凹みが前記第二の距離と等しい距離で隔てられている第三の蛇行バンドをさらに備える、段落１のステント。
【０１３２】
６）段落５のステントであって、前記第二の蛇行バンドおよび前記第三の蛇行バンドが前記ステントの長さに沿って前記副枝構造の別の側に位置するステント。
７）前記第三の蛇行バンドの隣接する遠位凹みが前記第一の距離より長い第三の距離で隔てられている第三の蛇行バンドをさらに備える、段落１のステント。
【０１３３】
８）段落７のステントであって、前記第二の距離が前記第三の距離より短いステント。
９）段落７のステントであって、前記第三の蛇行バンドが前記第二の蛇行バンドより少ない遠位凹みを備えるステント。
【０１３４】
１０）前記第四の蛇行バンドの隣接する遠位凹みが前記第三の距離よりも長い第四の距離で隔てられる第四の蛇行バンドをさらに備える段落７のステント。
１１）段落１０のステントであって、前記第四の蛇行バンドが前記第三の蛇行バンドより少ない遠位凹みを備えるステント。
１２）段落１のステントであって、前記第二の蛇行バンドが直線支柱および湾曲支柱を交互に備えるステント。
【０１３５】
１３）段落１のステントであって、第一の連結支柱が前記第二の蛇行バンドの近位頂点に連結し、第二の連結支柱が前記第二の蛇行バンドの遠位凹みに連結し、前記第一の連結支柱が第一の方向に向けられ、前記第二の連結支柱が前記第一の方向と異なる第二の方向に向けられるステント。
【０１３６】
１４）段落１のステントであって、前記第二の蛇行バンドに対して遠位に位置する各蛇行バンドの隣接した遠位凹み間の前記距離が前記第二の距離より長いステント。
１５）段落１４のステントであって、前記第二の蛇行バンドに対して遠位に位置する各蛇行バンドの隣接した遠位凹み間の前記距離が各連続的蛇行バンドにしたがって長くなるステント。
【０１３７】
一部の実施形態では、例えば図４、５および６に示され、また以下の番号付けされた段落に記載の通り、ステント１０はステント縦軸１１に平行に測定した場合に様々な構成要素の長さを備える、または様々な長さの支柱２２を備える蛇行バンド２０を備えてもよい。
【０１３８】
１）相互連結支柱部材の一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
少なくとも一つの連結支柱によって接続された隣接する複数の蛇行バンドおよび複数の連結支柱をさらに画定する前記相互連結支柱部材と、
蛇行バンドによって橋渡しされる前記ステントの長さに沿った前記距離を含む構成要素の長さを有する、支柱および屈曲部を交互に備える各蛇行バンドと、
第一の構成要素の長さを有する前記ステントの前記中央部分に位置する第一の蛇行バン
ドと、
第一の蛇行バンドに対して遠位に位置する第二の蛇行バンド、前記第一の構成要素の長さより長い第二の構成要素の長さを有する前記第二の蛇行バンドと
を備えるステント。
【０１３９】
２）前記第二の構成要素の長さと等しい第三の構成要素の長さを有する第三の蛇行バンドをさらに備える段落１のステント。
３）段落２のステントであって、前記第二の蛇行バンドおよび前記第三の蛇行バンドが前記ステントの長さに沿って前記副枝構造の異なる側に位置するステント。
【０１４０】
４）前記第二の構成要素の長さより長い第三の構成要素の長さを有する第三の蛇行バンドをさらに含む段落１のステント。
５）段落４のステントであって、前記第二の蛇行バンドが前記ステントの長さに沿って前記第一の蛇行バンドおよび前記第三の蛇行バンドの間に位置するステント。
【０１４１】
６）段落４のステントであって、前記第三の蛇行バンドの前記支柱が前記第二の蛇行バンドの前記支柱より長いステント。
７）段落６のステントであって、前記第二の蛇行バンドの前記屈曲部および前記第三の蛇行バンドの前記屈曲部が同一の大きさおよび形状を備えるステント。
【０１４２】
８）前記第三の構成要素の長さより長い第四の構成要素の長さを有する第四の蛇行バンドをさらに備える段落４のステント。
９）段落８のステントであって、前記第四の蛇行バンドが前記ステントの長さに沿って前記第三の蛇行バンドに対して遠位に位置するステント。
【０１４３】
１０）段落１のステントであって、前記第一の蛇行バンドが前記副枝構造に連結するステント。
１１）段落１のステントであって、前記第二の蛇行バンドが前記副枝構造に対して遠位に位置するステント。
【０１４４】
１２）段落１１のステントであって、前記第二の蛇行バンドに対して遠位に位置する各蛇行バンドの前記構成要素の長さが各連続的蛇行バンドにしたがって長くなるステント。
１３）段落１のステントであって、前記第二の蛇行バンドの前記支柱が直線支柱および湾曲支柱を交互に備えるステント。
【０１４５】
一部の実施形態では、例えば図４および６に示され、また以下の番号付けされた段落に記載の通り、ステント１０は様々な波長を備える、または様々な数の近位頂点２４および／または遠位凹み２６を備える、およびステント縦軸１１に平行に測定した場合に様々な構成要素の長さを備える場合がある、あるいは様々な長さの支柱２２を備える場合がある、蛇行バンド２０を備えてもよい。
【０１４６】
１）一部が副枝セルを画定する副枝構造を備え、副枝セルがステントの他のセルと異なって形作られる複数のセルを画定する複数の相互連結支柱部材と、
第一の末端部分、中央部分、および第二の末端部分、前記中央部分に位置する前記副枝構造を備える前記ステントと、
少なくとも一つの連結支柱によって接続された隣接する複数の蛇行バンドおよび複数の連結支柱をさらに画定する前記相互連結支柱部材と、
前記蛇行バンドによって橋渡しされる前記ステントの長さに沿った前記距離を含む構成要素の長さを有し、近位頂点および遠位凹みを互い違いにさせることで連結された支柱を備える各蛇行バンドと、
第一の構成要素の長さを有する前記ステントの前記中央部分に位置する第一の蛇行バンドと、
第一の蛇行バンドに対して遠位に位置する第二の蛇行バンド、前記第一の蛇行バンドより長い第二の構成要素の長さを有する前記第二の蛇行バンドと、
を備える、第一の蛇行バンドよりかすの少ない遠位凹みを有するステント。
【０１４７】
２）第三の蛇行バンド、前記第二の構成要素の長さと等しい前記第三の蛇行バンドの構成要素の長さをさらに備える段落１のステント。
３）段落２のステントであって、前記第三の蛇行バンドが前記第二の蛇行バンドと同一の数の遠位凹みを備えるステント。
【０１４８】
４）段落３のステントであって、前記第二の蛇行バンドおよび前記第三の蛇行バンドが前記ステントの長さに沿った前記副枝構造の異なる側に位置するステント。
５）前記第二の構成要素の長さより長い第三の構成要素の長さを有する第三の蛇行バンドをさらに備える段落１のステント。
【０１４９】
６）段落５のステントであって、前記第三の蛇行バンドが前記第二の蛇行バンドより少ない遠位凹みを備えるステント。
７）前記第三の構成要素の長さより長い第四の構成要素の長さを有する第四の蛇行バンドをさらに備える段落５のステント。
【０１５０】
８）段落７のステントであって、前記第四の蛇行バンドが前記第三の蛇行バンドより少ない遠位凹みを備えるステント。
９）段落７のステントであって、前記第三の蛇行バンドが前記第二の蛇行バンドおよび前記第四の蛇行バンドの間に位置するステント。
【０１５１】
１０）段落１のステントであって、前記第二の蛇行バンドの前記支柱が直線支柱および湾曲支柱を交互に備えるステント。
１１）段落１のステントであって、前記第二の蛇行バンドに対して遠位に位置する各蛇行バンドの構成要素の長さが各連続的蛇行バンドにしたがって長くなるステント。
【０１５２】
１２）段落１のステントであって、前記第二の蛇行バンドに対して遠位に位置する各蛇行バンドの遠位凹みの数が各連続的蛇行バンドにしたがって少なくなるステント。
一部の実施形態では、本発明は前記の番号付けされた段落に述べられたようなステント製造方法を対象とする。
【０１５３】
上記の開示は、網羅的ではなく、説明に役立つことが意図されている。本説明は、当業者に多くの変形および別の手段を示唆するだろう。個別の図に示され上記で述べられた様々な要素は、所望の通りに組み合わされ、または組み合わせのために修正されてもよい。これら全ての別の手段および変形は、「備える」の用語が「含むがそれに限定されない」ことを意味する、特許請求の範囲の範囲内に含まれるよう意図されている。
【０１５４】
さらに、本発明は従属クレームの特性の考えられる他の任意の組み合わせを有する別の実施形態も対象とされると明確に認識されなければならないことから、従属クレームに示された特有の特性は本発明の範囲内に別の方法で互いに組み合わされる可能性がある。例えば、特許請求の範囲公開のために、多数従属クレームの形式が管轄権内で許容される形式である場合には、以下の従属クレームは、前記従属クレームに参照された全ての前項を有する全ての全請求項から多数従属クレームの形式で補助的に記述されたように解釈されなければならない（例えば、請求項１に従属する各クレームは、全ての前のクレームに従属するよう補助的に解釈されなければならない）。多数従属クレーム形式が制限される管
轄区域では、後に続く従属クレームは、下にこのような従属クレームに列挙される個別の特許請求の範囲以外は、前に先行するクレームへの従属を付与するそれぞれが単独で従属するクレーム形式で補助的に書かれるようにそれぞれ解釈されなければならない。
【産業上の利用可能性】
【０１５５】
本明細書は本発明の説明を全て揃える。当業者は本明細書に添付された特許請求の範囲に含まれるよう意図された、本明細書に述べられた特定の実施形態の他の同等物を認めるかもしれない。
【０１５６】
本出願が優先権を主張する米国特許出願第１１／３６８，９６５号明細書は、全内容を本明細書に参照することによって組み込まれている。
【図面の簡単な説明】
【０１５７】
【図１】ステントパターンの実施形態を示す。
【図２】ステントパターンの別の実施形態を示す。
【図３】ステントパターンの別の実施形態を示す。
【図４】ステントパターンの別の実施形態を示す。
【図５】ステントパターンの別の実施形態を示す。
【図６】ステントパターンの別の実施形態を示す。
【図１】
2009528885.tif 000003
【図２】
2009528885.tif 000004
【図３】
2009528885.tif 000005
【図４】
2009528885.tif 000006
【図５】
2009528885.tif 000007
【図６】
2009528885.tif 000008
【国際調査報告】
2009528885.tif 000009
2009528885.tif 000010